(57)【特許請求の範囲】
【請求項１】
入力する画像情報に応じた画像を表示する画像表示手段と、装置全体を制御する制御手段とを備えた画像表示装置であって、
少なくとも１つのキーを有し、前記キーの入力操作に応じた動作を前記制御手段に実行させる操作手段を備え、
前記制御手段は、
前記入力操作に応じて、項目別設定画面を前記画像表示部手段に表示させる項目別設定画面表示部と、
前記入力操作が当該制御手段の所定の動作状態に沿った有効な入力操作であるか否かを判定する入力判定部と、
有効な入力操作でないと判定されると、当該有効でないと判定された前記入力操作が行われた回数を計数する計数部と、
前記回数が所定回数以上に達したか否かを判定する回数判定部と、
前記回数が所定回数以上に達したと判定されると、前記画像表示手段に対話型設定画面を表示させる対話型設定画面表示部とを備え、
前記入力判定部は、前記項目別設定画面の表示中に行われた前記入力操作が有効な入力操作であるか否かを判定する設定時判定部を備えることを特徴とする画像表示装置。
【請求項２】
請求項１に記載の画像表示装置において、
前記制御手段は、
前記入力判定部により前記入力操作が有効な入力操作でないと判定されると、当該有効でない入力操作が行われてから他の有効な入力操作が行われるまでの時間を計時する第１計時部と、
前記第１計時部による計時時間が所定時間に達したか否かを判定する第１計時時間判定部とを備え、
前記対話型設定画面表示部は、前記第１計時時間判定部により前記第１計時部の計時時間が所定時間に達したと判定され、前記回数判定部により前記回数が所定回数以上に達したと判定されると、前記対話型設定画面を表示させることを特徴とする画像表示装置。
【請求項３】
請求項１または請求項２に記載の画像表示装置において、
前記制御手段は、
前記項目別設定画面の表示中に前記入力操作が行われてから他の前記入力操作が行われるまでの時間を計時する第２計時部と、
前記第２計時部による計時時間が所定時間以上に達したか否かを判定する第２計時時間判定部とを備え、
前記対話型設定画面表示部は、前記第２計時時間判定部により前記第２計時部の計時時間が所定時間以上に達したと判定されると、前記対話型設定画面を表示させることを特徴とする画像表示装置。
【請求項４】
請求項１から請求項３のいずれかに記載の画像表示装置において、
前記操作手段は、前記入力操作が行われた前記キーに応じた操作信号を出力する操作信号出力部を備え、
前記入力判定部は、前記操作信号の種別に基づく動作が、前記制御手段の所定の動作状態に沿った動作であるか否かを判定することにより、前記入力操作が有効な入力操作であるか否かを判定することを特徴とする画像表示装置。
【請求項５】
画像表示装置により実行される設定画面表示方法であって、
操作手段に対する入力操作に応じて、項目別設定画面を画像表示手段により表示する項目別設定画面表示ステップと、
前記項目別設定画面の表示中に行われた前記入力操作が有効な入力操作であるか否かを判定する入力判定ステップと、
有効な入力操作でないと判定されると、当該有効でないと判定された前記入力操作が行われた回数を計数する計数ステップと、
前記回数が所定回数以上に達したか否かを判定する回数判定ステップと、
前記回数が所定回数以上に達したと判定されると、前記画像表示手段により対話型設定画面を表示する対話型設定画面表示ステップと、を有することを特徴とする設定画面表示方法。
【発明の詳細な説明】
【技術分野】
【０００１】
本発明は、入力する画像情報に応じた画像を表示する画像表示手段と、装置全体を制御する制御手段とを備えた画像表示装置、及び、設定画面表示方法に関する。
【背景技術】
【０００２】
従来、入力する画像情報に応じた画像を表示する画像表示手段と、装置全体を制御する制御手段とを備えた画像表示装置が知られている。このような画像表示装置には、制御手段に操作信号を出力して当該制御手段に所定の処理を実行させる操作手段が設けられる場合があり、このような操作手段としては、画像表示装置の装置外面に露出して設けられ、多数のキーが配設された操作パネルや、当該操作パネルと同様の複数のキーを備えるリモコン等が挙げられる。このような操作パネルは、制御手段と電気的に接続されており、操作パネルに配設されたキーの入力に応じた操作信号を制御手段に出力する。また、リモコンは、当該リモコンに配設されたキーの入力に応じた赤外線信号等の操作信号を出力する。当該操作信号は、画像表示装置に設けられたインターフェースによって受信され、当該インターフェースによって内部処理可能な操作信号に変換されて制御手段に出力される。
【０００３】
ところで、画像表示装置における映像および音声等の設定は、当該画像表示装置の画像表示手段上に表示されるメニュー画面にて行われることが多い。このようなメニュー画面における設定操作は、リモコン等の操作手段に設けられたカーソルキーおよび確定キー等の入力によって行われる。
【０００４】
しかしながら、このようなメニュー画面は、設定項目が並べられているだけの場合が多く、各項目をどのように設定すればよいのか分かりづらいという問題があった。このような問題に対して、操作ガイドを表示するテレビ受像機が知られている（例えば、特許文献１参照）。
特許文献１に記載のテレビ受像機は、メニュー画面表示中に、設定項目を選択した状態でリモコン等のガイドキーを入力することにより、設定操作を説明するガイド画面が表示される。これにより、必要な操作ガイド画面を簡易な操作で表示させることができ、メニュー画面における操作を分かりやすくすることができる。
【０００５】
【特許文献１】特開平８−６５５８７号公報
【発明の開示】
【発明が解決しようとする課題】
【０００６】
しかしながら、特許文献１に記載のテレビ受像機では、操作ガイドが表示されることにより、それぞれのメニュー画面における設定操作を分かりやすくすることはできるものの、どの設定項目をどのメニュー画面で設定すればよいのかわかりづらいという問題がある。すなわち、特許文献１に記載のテレビ受像機のメニュー画面は、例えば、映像および音声等の設定項目ごとにメニュー画面が構成された項目別設定画面であるので、設定を行いたい設定項目がどのメニュー画面にあるのかを使用者が探さねばならず、設定操作が面倒であるという問題があった。
【０００７】
本発明の目的は、容易に設定変更を行うことができる画像表示装置及び設定画面表示方法を提供することである。
【課題を解決するための手段】
【０００８】
前記した目的を達成するために、本発明の画像表示装置は、入力する画像情報に応じた画像を表示する画像表示手段と、装置全体を制御する制御手段とを備えた画像表示装置であって、少なくとも１つのキーを有し、前記キーの入力操作に応じた動作を前記制御手段に実行させる操作手段を備え、前記制御手段は、前記入力操作に応じて、項目別設定画面を前記画像表示部手段に表示させる項目別設定画面表示部と、前記入力操作が当該制御手段の所定の動作状態に沿った有効な入力操作であるか否かを判定する入力判定部と、有効な入力操作でないと判定されると、当該有効でないと判定された前記入力操作が行われた回数を計数する計数部と、前記回数が所定回数以上に達したか否かを判定する回数判定部と、前記回数が所定回数以上に達したと判定されると、前記画像表示手段に対話型設定画面を表示させる対話型設定画面表示部とを備え、前記入力判定部は、前記項目別設定画面の表示中に行われた前記入力操作が有効な入力操作であるか否かを判定する設定時判定部を備えることを特徴とする。
【０００９】
ここで、項目別設定画面とは、「映像」等の項目別に設定項目が一覧表示されるメニュー画面を示している。また、対話型設定画面は、設定したい１つの項目が質問形式で表示され、「ＹＥＳ（はい）」および「ＮＯ（いいえ）」からの選択、または、複数の選択肢からの選択を行うことによって項目設定が可能なメニュー画面を示すものである。
また、有効な入力操作とは、当該入力操作に応じた動作を所定の動作状態にある制御手段が実行可能なキーの入力操作を指す。このような有効な入力操作としては、例えば、画像表示装置の動作設定を変更可能な項目別設定画面の表示状態にある制御手段に対して、当該設定画面における画面遷移、設定項目の選択、入力、決定およびキャンセル等のメニュー操作を実行させる入力操作が挙げられる。
一方、有効でない入力操作とは、当該入力操作に応じた動作を所定の状態にある制御手段が実行不可能なキーの入力操作を指す。例えば、項目別設定画面の表示状態にある制御手段に対して、上記のメニュー操作に係る入力操作以外の入力操作が挙げられる。また、画像表示装置が、アナログ放送、デジタル放送およびデータ放送を受信可能なテレビ受像機である場合に、アナログ放送に基づくテレビ番組の表示中にデータ放送の画像を表示させる入力操作が挙げられる。
【００１０】
このような本発明によれば、所定の動作状態にある制御手段にとって有効でない入力操作が所定回数以上操作手段のキーに対して行われた場合に、画像表示手段に対話型設定画面が表示されるので、設定操作を容易に行うことができる。
すなわち、操作手段のキーに対して入力操作が行われると、制御手段の入力判定部により、当該キーに対する入力操作が所定の動作状態にある制御手段にとって有効な入力操作であるか否かが判定される。当該信号判定部により、当該入力操作が有効な入力操作でないと判定されると、このような有効でない入力操作の回数が計数部により計数される。ここで、当該有効でない入力操作の回数は、回数判定部により監視されており、当該回数判定部により、当該回数が所定回数に達したか否かが判定される。そして、回数判定部により、有効でない入力操作の回数が所定回数以上に達したと判定されると、対話型設定画面表示部により、画像表示手段に対話型設定画面が表示される。
【００１１】
これによれば、画像表示装置を制御する制御手段の動作状態（例えば、項目別設定画面の表示状態）によっては許容されない操作手段への入力操作を検出し、当該入力操作の回数を有効でない入力操作の回数として計数し、当該回数に応じて対話型設定画面を表示することができる。すなわち、使用者が画像表示装置の設定状態を変更させようとして、現在の制御手段の動作状態に関与しない操作手段のキーに対する入力操作を行い、当該入力操作の回数が所定回数以上に達した場合に、簡易に画像表示装置の設定を変更できる対話型設定画面を表示することができる。従って、使用者が設定したい設定項目を簡易に見つけ出すことができ、設定操作を対話型設定画面にて容易に行うことができる。
【００１２】
また、項目別設定画面の表示中に、制御手段に所定の動作を実行させる操作手段のキーに対する入力操作が有効な入力操作であるか否かを、信号判定部の設定時判定部により適切に判定することができる。
すなわち、項目別設定画面上では、画面遷移操作、設定項目の選択操作、確定操作およびキャンセル操作等が行われることが多く、通常の画像表示の場合に比べ、操作手段に対してなされた入力操作に応じた動作を制御手段が実行可能であるか否か、すなわち、当該入力操作が有効な入力操作であるか否かの判定が煩雑となる。ここで、本発明では、項目設定画面の表示中での操作手段のキーに対する入力操作が有効であるか否かを判定する設定時判定部を信号判定部に設けたことにより、判定処理を適切に行うことができる。従って、項目別設定画面から対話型設定画面に表示変更する際の判定処理を適切に行うことができる。
【００１３】
本発明では、前記制御手段は、前記入力判定部により前記入力操作が有効な入力操作でないと判定されると、当該有効でない入力操作が行われてから他の有効な入力操作が行われるまでの時間を計時する第１計時部と、前記第１計時部による計時時間が所定時間に達したか否かを判定する第１計時時間判定部とを備え、前記対話型設定画面表示部は、前記第１計時時間判定部により前記第１計時部の計時時間が所定時間に達したと判定され、前記回数判定部により前記回数が所定回数以上に達したと判定されると、前記対話型設定画面を表示させることが好ましい。
【００１４】
本発明によれば、所定時間内に、有効でない入力操作が連続して行われ、当該有効でない入力操作の回数が所定回数以上に達した場合に、対話型設定画面が表示されることとなるので、当該対話型設定画面が不要に高頻度で表示されることを防ぐことができる。
すなわち、信号判定部により、操作手段のキーに対する入力操作が、所定の動作状態にある制御手段に対して有効な入力操作でないと判定されると、当該有効でないと判定された入力操作が行われてから他の有効な入力操作が行われるまでの時間が第１計時部により計時される。ここで、有効な入力操作が行われるまでは、有効でない入力操作が行われた場合でも第１計時部による計時は続行される。一方、第１計時時間判定部により、第１計時部による計時時間が所定時間に達したか否かが判定される。そして、対話型設定画面表示部は、第１計時部による計時時間が所定時間に達し、有効でない入力操作の回数が所定回数に達した場合に、対話型設定画面を画像表示手段に表示させる。
【００１５】
これによれば、所定の動作状態の制御手段にとって有効でないキーの入力操作が行われてから他の有効な入力操作が行われるまでの期間中に、有効でないキーの入力操作の回数が所定回数に達した場合に、対話型設定画面表示部により、対話型設定画面を表示することができる。従って、前述の所定時間および所定回数を適切に設定することにより、対話型設定画面が不必要に頻繁に表示されることを防ぐことができ、本来の画像表示が妨げられることを防ぐことができる。
【００１６】
本発明では、前記制御手段は、前記項目別設定画面の表示中に前記入力操作が行われてから他の前記入力操作が行われるまでの時間を計時する第２計時部と、前記第２計時部による計時時間が所定時間以上に達したか否かを判定する第２計時時間判定部とを備え、前記対話型設定画面表示部は、前記第２計時時間判定部により前記第２計時部の計時時間が所定時間以上に達したと判定されると、前記対話型設定画面を表示させることが好ましい。
【００１７】
本発明によれば、第２計時部が、項目別設定画面の表示中に操作手段のキーに対する入力操作が行われてから、他の入力操作が行われるまでの時間を計時し、当該計時時間を第２計時時間判定部が判定する。そして、当該第２計時時間判定部が、第２計時部による計時時間が所定時間に達したと判定されると、対話型設定画面表示部により、前述の対話型設定画面が画像表示手段上に表示される。
これによれば、項目別設定画面の表示中に、所定時間内に操作手段のキーに対する入力操作が行われなかった場合に、対話型設定画面を表示することができる。従って、項目別設定画面において使用者が設定操作に戸惑っていたり、あるいは、設定を迷っていたりする場合に、対話型設定画面を自動的に表示することができるので、一層容易に画像表示装置の設定操作を行うことができる。
【００１８】
本発明では、前記操作手段は、前記入力操作が行われた前記キーに応じた操作信号を出力する操作信号出力部を備え、前記入力判定部は、前記操作信号の種別に基づく動作が、前記制御手段の所定の動作状態に沿った動作であるか否かを判定することにより、前記入力操作が有効な入力操作であるか否かを判定することが好ましい。
【００１９】
ここで、操作手段は、制御手段と有線で繋がっていてもよく、また、無線で繋がっていてもよい。
本発明によれば、入力判定部が、入力操作が行われたキーに応じて出力される操作信号の種別に基づいて、当該入力操作が有効な入力操作であるか否かを判定することにより、当該操作信号が指定する制御手段上の動作を適切に把握することができる。これにより、制御手段上で当該動作が実行可能か否かに基づいて、操作手段のキーの入力操作が有効な入力操作であるか否かを適切に判定することができる。従って、入力判定部によるキーの入力操作の有効性判定を適切に行うことができる。
【００２０】
また、本発明の設定画面表示方法は、画像表示装置により実行される設定画面表示方法であって、操作手段に対する入力操作に応じて、項目別設定画面を画像表示手段により表示する項目別設定画面表示ステップと、前記項目別設定画面の表示中に行われた前記入力操作が有効な入力操作であるか否かを判定する入力判定ステップと、有効な入力操作でないと判定されると、当該有効でないと判定された前記入力操作が行われた回数を計数する計数ステップと、前記回数が所定回数以上に達したか否かを判定する回数判定ステップと、前記回数が所定回数以上に達したと判定されると、前記画像表示手段により対話型設定画面を表示する対話型設定画面表示ステップと、を有することを特徴とする。
【発明を実施するための最良の形態】
【００２１】
以下、本発明の一実施形態を図面に基づいて説明する。
（１）テレビ受像機１の構成
図１は、本実施形態に係るテレビ受像機１の内部構成を示すブロック図である。
テレビ受像機１は、本発明の画像表示装置に相当し、入力する画像情報、例えば、チューナ５１により受信したテレビ放送の放送信号に応じた画像を形成表示する。
このようなテレビ受像機１は、図１に示すように、画像を表示する受像機本体２と、当該受像機本体２を遠隔操作するリモコン９とを備えて構成されている。
【００２２】
ここで、リモコン９は、本発明の操作手段に相当し、図１に示すように、複数のキー９１（図１では、複数のキーを総じてキー９１と略して示す）と、操作信号生成部９２と、操作信号出力部９３とを備えている。このリモコン９は、操作信号生成部９２により、キー９１の入力操作に応じた所定の動作を受像機本体２に実行させる操作信号を生成し、操作信号出力部９３にて、生成した操作信号を赤外線信号に変換して受像機本体２に送信出力する構成とされている。このようなキー９１として、リモコン９は、受信チャンネルを選択するための選局キー、音量調節のための音量上下キー、および、入力切替を行うための入力切替キー等が設けられている。また、これらキーの他に、リモコン９には、後述する項目別設定画面を表示させるメニューキー、当該設定画面にて項目を選択するための上下左右のカーソルキー、選択項目を確定させる確定キー、および、選択項目の解除を行うキャンセルキー等が設けられている。
【００２３】
（２）受像機本体２の構成
受像機本体２は、後述する制御基板５を構成するチューナ５１で受信した放送信号に基づく画像を形成表示するものであり、図１に示すように、リモコンインターフェース（以下、「リモコンＩＦ」と略す場合がある）３、操作パネル４、制御基板５、画像表示部６および音声出力部７を備えて構成されている。
【００２４】
このうち、リモコンＩＦ３は、リモコン９からの赤外線信号を受信する受光部と、当該赤外線信号を制御基板５で処理可能な操作信号にデジタル変換するモジュールとを備えて構成されている。リモコンＩＦ３で変換した操作信号は、後述する制御基板５の制御回路５５に出力される。
操作パネル４は、リモコン９と同様に本発明の操作手段に相当し、受像機本体２の外面に露出して設けられている。操作パネル４には、リモコン９と同様の複数のキーが配設されており、当該キーの入力に応じた操作信号を、後述する制御基板５の制御回路５５に出力する。
【００２５】
画像表示部６は、本発明の画像表示手段に相当し、詳しい図示を省略するが、液晶パネルと、当該液晶パネルを駆動する液晶駆動回路を備えて構成されている。画像表示部６では、後述する制御基板５の画像音声処理回路５２から入力する画像情報に応じて液晶駆動回路が液晶パネルを駆動させることにより、当該画像情報に応じた画像が液晶パネル上で形成表示される。
また、音声出力部７は、スピーカ等を備えて構成され、制御基板５の後述する画像音声処理回路５２から入力する音声情報に基づく音声を出力する。
【００２６】
（３）制御基板５の構成
制御基板５は、本発明の制御手段に相当し、受像機本体２の装置全体を制御する回路基板として構成されている。制御基板５は、チューナ５１、画像音声処理回路５２、設定画面生成部５３、メモリ５４および制御回路５５を備えて構成されている。
このうち、チューナ５１は、使用者が選択したチャンネルに応じた周波数の放送信号を選択して受信し、一定周波数の信号に変換して画像音声処理回路５２に出力する。チューナ５１は、制御回路５５から入力する制御信号に応じて、受信するチャンネルを変更する。
【００２７】
画像音声処理回路５２は、チューナ５１により変換された信号から、画像情報および音声情報を分離、抽出し、デコードした画像情報および音声情報を、画像表示部６および音声出力部７にそれぞれ出力する。この際、画像音声処理回路５２は、後述するメモリ５４に記憶された画像設定情報および音声設定情報に基づいて、画質および音質の補正等を行う。さらに、画像音声処理回路５２は、設定画面生成部５３で生成された項目別設定画面および対話型設定画面の画像情報を組み立てて画像表示部６に出力する。
【００２８】
設定画面生成部５３は、メニュー画面等の設定画面の画像情報を生成して、画像音声処理回路５２に出力するものである。設定画面生成部５３は、項目別設定画面生成部５３１および対話型設定画面生成部５３２を備えて構成されている。
項目別設定画面生成部５３１および対話型設定画面生成部５３２は、それぞれ項目別設定画面および対話型設定画面の画像情報を生成し、画像音声処理回路５２に出力する。この際、項目別設定画面生成部５３１および対話型設定画面生成部５３２は、メモリ５４に記憶された項目別設定画面および対話型設定画面のメニューデータを参照して、それぞれの設定画面の画像情報を生成、出力する。項目別設定画面生成部５３１および対話型設定画面生成部５３２による設定画面の生成は、後述する制御回路５５の項目別画面生成指示部５５５４および対話型画面生成指示部５５５２からの制御信号の入力に伴って実行される。
すなわち、項目別設定画面生成部５３１は、本発明の項目別設定画面表示部を構成し、また、対話型設定画面生成部５３２は、本発明の対話型設定画面表示部を構成する。
【００２９】
図２は、項目別設定画面の一例を示す図である。
ここで、項目別設定画面について説明する。
項目別設定画面とは、「映像」等のメニュー項目別に設定項目が一覧表示されるメニュー画面を示すものである。具体的に、本実施形態の項目別設定画面では、図２に示すように、表示する映像に関する設定を行う「映像」メニュー、出力する音声に関する設定を行う「音声」メニュー、受像機本体２の詳細な設定を行う「設定」メニュー、受像機本体２の情報を表示する「情報」メニュー、および、各項目の設定値をすべて初期化する「初期化」メニューがメニュー項目として設けられている。そして、各メニュー項目には、当該メニュー項目で設定可能な設定項目が一覧表示され、リモコン９または操作パネル４上のキーを入力することで、それぞれの設定項目の選択、設定等を行うように構成されている。
【００３０】
図３および図４は、対話型設定画面の一例を示す図である。詳述すると、図３は、前述の図２に示されていた「自動セットアップ」の設定項目を質問形式で表した対話型設定画面の図であり、図４は、「アスペクト比」の設定項目を質問形式で表した対話型設定画面の図である。
ここで、対話型設定画面について説明する。
対話型設定画面とは、設定したい１つの項目が質問形式で表示され、「はい」および「いいえ」からの選択、または、複数の選択肢からの選択を行うことによって項目設定が可能なメニュー画面を示すものである。具体的に、本実施形態の対話型設定画面では、前述の項目別設定画面と同様に、「映像」、「音声」、「設定」、「情報」および「初期化」の各メニューが設けられているが、図３に示すように、設定項目が質問形式で表示されている。そして、当該設定項目では、「はい」および「いいえ」のどちらかを選択し、画面下部に表示された「決定」ボタンを入力することで当該設定が有効となり、同じく画面下部に表示された「キャンセル」ボタンを入力することで、設定項目の設定変更がキャンセルされる。
【００３１】
また、本実施形態の対話型設定画面においては、図４に示すように、「はい」および「いいえ」から選択させるだけでなく、複数の選択肢（図４の場合、「４：３」および「１６：９」）から選択させる設定画面も含まれる。この場合も、設定項目については、図３において示した対話型設定画面と同様に、質問形式で表示される。また、図４に示す対話型設定画面においても、画面下部に表示された「決定」ボタンおよび「キャンセル」ボタンを入力することにより、設定の有効化および当該設定のキャンセルが行われる。
【００３２】
図１に戻り、メモリ５４は、電気的に書換可能なフラッシュメモリにより構成されている。メモリ５４は、後述する制御回路５５で実行されるプログラムや、当該プログラムの実行時に参照される各種データが記憶されている。
具体的に、メモリ５４には、プログラムとして、後述する操作信号対応処理ＳＡを実行するプログラムや、設定画面表示時監視処理ＳＢを実行するプログラムが記憶されている。また、メモリ５４には、データとして、前述の項目別設定画面生成部５３１および対話型設定画面生成部５３２による各設定画面の生成時に参照されるメニューデータが記憶されている。さらに、メモリ５４には、後述する操作信号対応処理ＳＡで参照されるカウンタが記憶される。
【００３３】
（４）制御回路５５の構成
図５は、主に制御回路５５の構成を示す制御基板５のブロック図である。
制御回路５５は、ＣＰＵ（Central Processing Unit）等を備えて構成され、メモリ５４に記憶されたプログラムを読み込んで制御基板５、ひいては、受像機本体２を自律的に制御する他、リモコンＩＦ３および操作パネル４から入力する操作信号に基づいて制御基板５を制御して、受像機本体２の装置全体の駆動を制御するものである。
このため、制御回路５５は、図５に示すように、信号判定部５５１、計数部５５２、回数判定部５５３、計時部５５４および信号処理部５５５を備えて構成されている。
【００３４】
信号判定部５５１は、本発明の入力判定部に相当し、リモコンＩＦ３を介してリモコン９から入力する操作信号、および、操作パネル４から入力する操作信号に基づいて、入力した操作信号が後述する信号処理部５５５で実行可能な動作を指示する操作信号であるか否かを判定することにより、当該操作信号を出力したリモコン９および操作パネル４のキーに対する入力操作が、有効な入力操作であるか否かを判定する。信号判定部５５１において行われる判定処理での判定基準は、受像機本体２の状態、すなわち、制御基板５の動作状態によって判定内容が変更される。
このような信号判定部５５１は、状態取得部５５１１、判定制御部５５１２、設定表示時判定部５５１３および通常表示時判定部５５１４を備えて構成されている。
【００３５】
状態取得部５５１１は、制御基板５の動作状態、例えば、制御基板５が項目別設定画面を表示している状態であるか否か等を取得して、判定制御部５５１２に当該判定結果を示す制御信号を出力する。
判定制御部５５１２は、状態取得部５５１１からの制御信号に基づいて、リモコンＩＦ３および操作パネル４から入力する操作信号に基づく処理が後述する信号処理部５５５で実行可能であるか否かを判定する処理を振り分ける。
具体的に、判定制御部５５１２は、項目別設定画面の表示中であれば、入力した操作信号の判定処理を、設定表示時判定部５５１３に実行させ、対話型設定画面を含む設定画面の表示中でなければ、通常表示時判定部５５１４に当該判定処理を実行させる。また、判定制御部５５１２は、信号処理部５５５に、入力した操作信号の信号種別を含む制御信号を出力する。
【００３６】
設定表示時判定部５５１３は、本発明の設定時判定部に相当し、判定制御部５５１２から入力し操作信号の種別を含む制御信号を基に、項目別設定画面の表示中に、信号判定部５５１に入力した操作信号が、当該項目別設定画面を表示中の信号処理部５５５で実行可能か否かを判定する。
例えば、前述の項目別設定画面にて、メニュー項目を選択する処理を実行させる操作信号、設定項目の値を入力する操作信号、並びに、設定項目の決定およびキャンセルを行う操作信号は、有効な入力操作に基づく操作信号であると判定される。一方、項目別設定画面の表示中に、入力画像情報の切替を実行する操作信号は、有効でない入力操作に基づく操作信号であると判定される。
【００３７】
このような判定において、入力した操作信号に基づく動作が信号処理部５５５で実行可能であると判定した場合には、有効な入力操作に基づく操作信号が入力したとして、設定表示時判定部５５１３は、計数部５５２、計時部５５４の第１計時部５５４１および第２計時部５５４４、並びに、信号処理部５５５の通常処理指示部５５５３に、有効な入力操作に基づく操作信号が入力した旨の制御信号を出力する。
一方、入力した操作信号に基づく動作が信号処理部５５５で実行可能でないと判定した場合には、有効でない入力操作に基づく操作信号が入力したとして、設定表示時判定部５５１３は、計数部５５２、および、信号処理部５５５の条件判定部５５５１に、有効でない入力操作に基づく操作信号が入力した旨の制御信号を出力する。また、直前の設定表示時判定部５５１３での判定結果が、有効な入力操作に基づく操作信号が入力したと判定していた場合には、計時部５５４の第１計時部５５４１および第２計時部５５４４に対しても同様の制御信号を出力する。
【００３８】
通常表示時判定部５５１４は、判定制御部５５１２から入力し操作信号の種別を含む制御信号を基に、項目別設定画面および対話型設定画面の表示中でない場合、すなわち、テレビ番組等の画像表示中に、信号判定部５５１に入力した操作信号に基づく動作が信号処理部５５５で実行可能か否かを判定する。
例えば、音量を調節する操作信号は、信号処理部５５５で処理可能な動作の操作信号であるので、当該操作信号は、通常表示時判定部５５１４により、有効な入力操作に基づく操作信号であると判定される。また、アナログ放送に基づく画像の表示中にデータ放送の画像を表示させる操作信号は、アナログ放送にはデータ画面を表示するためのデータが含まれていないので、当該操作信号に基づくデータ画面表示を行うことができない。このため、当該操作信号は、通常表示時判定部５５１４により、信号処理部５５５で動作可能でない操作信号、すなわち、有効でない入力操作に基づく操作信号であると判定される。
【００３９】
このような判定において、通常表示時判定部５５１４により、信号判定部５５１に入力した操作信号が有効な入力操作に基づく操作信号であると判定された場合、当該通常表示時判定部５５１４は、計数部５５２、計時部５５４の第１計時部５５４１、および、信号処理部５５５の通常処理指示部５５５３に、有効な入力操作に基づく操作信号が入力した旨の制御信号を出力する。
一方、通常表示時判定部５５１４により、入力した操作信号が有効でない入力操作に基づく操作信号であると判定された場合、当該通常表示時判定部５５１４は、計数部５５２、および、信号処理部５５５の条件判定部５５５１に、有効でない入力操作に基づく操作信号が入力した旨の制御信号を出力する。また、直前の通常表示時判定部５５１４での判定結果が、有効な入力操作に基づく操作信号が入力したと判定していた場合には、計時部５５４の第１計時部５５４１に対しても同様の制御信号を出力する。
【００４０】
計数部５５２は、設定表示時判定部５５１３および通常表示時判定部５５１４から制御信号が入力するごとに、メモリ５４に記憶されたカウンタの値を設定する。
具体的に、計数部５５２は、前述の有効な入力操作に基づく操作信号が入力した旨を示す制御信号が入力した場合に、メモリ５４に記憶されたカウンタの値を初期値「０」に設定する。また、計数部５５２は、有効でない入力操作に基づく操作信号が入力した旨を示す制御信号が入力した場合に、当該カウンタの値を「１」繰り上げる。
【００４１】
回数判定部５５３は、メモリ５４に記憶されたカウンタの値を監視し、当該カウンタの値が所定の値（所定回数）に達したか否かを判定する。そして、回数判定部５５３は、当該カウンタの値が所定の値に達した場合は、信号処理部５５５の後述する条件判定部５５５１に、カウンタの値が所定値に達した旨の制御信号を出力する。なお、所定値は、本実施形態では、「５」程度とされているが、適宜設定してよい。
【００４２】
計時部５５４は、設定表示時判定部５５１３および通常表示時判定部５５１４から制御信号が入力するごとに、タイマをリセットして、当該制御信号が入力してからの時間を計時する。計時部５５４は、第１計時部５５４１、第１タイマ５５４２、第１計時時間判定部５５４３、第２計時部５５４４、第２タイマ５５４５および第２計時時間判定部５５４６を備えて構成されている。
【００４３】
第１計時部５５４１および第２計時部５５４４は、設定表示時判定部５５１３および通常表示時判定部５５１４から、前述の有効な入力操作に基づく操作信号が入力した旨の制御信号が入力すると、第１タイマ５５４２および第２タイマ５５４５をそれぞれリセットする。
第１計時時間判定部５５４３および第２計時時間判定部５５４６は、第１タイマ５５４２および第２タイマ５５４５の時間をそれぞれ監視し、所定時間を経過したか否かを判定する。そして、第１タイマ５５４２の時間が所定時間以上に達した場合には、第１計時時間判定部５５４３は、信号処理部５５５の後述する条件判定部５５５１に、第１タイマ５５４２の経過時間が所定時間以上に達した旨の制御信号を出力する。また、第２タイマ５５４５の時間が所定時間以上に達した場合には、第２計時時間判定部５５４６は、第２タイマ５５４５の経過時間が所定時間以上に達した旨の制御信号を条件判定部５５５１に出力する。
【００４４】
信号処理部５５５は、制御回路５５に入力した操作信号に応じた処理を実行するとともに、前述のカウンタおよび計時時間に応じて、対話型設定画面の表示を指示する。このため、信号処理部５５５は、条件判定部５５５１、対話型画面生成指示部５５５２、通常処理指示部５５５３および項目別画面生成指示部５５５４を備えて構成されている。
【００４５】
条件判定部５５５１は、対話型設定画面の表示のための条件を判定する。具体的に、条件判定部５５５１は、設定表示時判定部５５１３および通常表示時判定部５５１４から、有効でない入力操作に基づく操作信号が入力した旨を示す制御信号が入力した場合に、回数判定部５５３、第１計時時間判定部５５４３、第２計時時間判定部５５４６からの制御信号に基づいて、対話型画面生成指示部５５５２に制御信号を出力するか否かを判定する。
【００４６】
詳述すると、条件判定部５５５１は、設定表示時判定部５５１３および通常表示時判定部５５１４のいずれかから、前述の有効な入力操作に基づく操作信号が入力した旨の制御信号が入力すると、第１計時時間判定部５５４３から第１タイマ５５４２の経過時間が所定時間以上に達した旨の制御信号が入力したか否かを判定する。そして、当該制御信号が入力したと判定した場合には、条件判定部５５５１は、回数判定部５５３からメモリ５４に記憶されたカウンタが所定回数以上に達した旨の制御信号が入力したか否かを判定する。ここで、当該制御信号が入力したと判定した場合、条件判定部５５５１は、対話型画面生成指示部５５５２に制御信号を出力する。また、この場合、条件判定部５５５１は、計数部５５２、計時部５５４の第１計時部５５４１および第２計時部５５４４に制御信号を出力し、カウンタ、第１タイマ５５４２および第２タイマ５５４５のリセットを実行させる。
【００４７】
また、条件判定部５５５１は、設定表示時判定部５５１３から、項目別設定画面を表示中である旨の制御信号が入力すると、第２計時時間判定部５５４６から第２タイマ５５４５の経過時間が所定時間を経過した旨の制御信号が入力したか否かを判定する。そして、当該制御信号が入力したと判定した場合、条件判定部５５５１は、対話型画面生成指示部５５５２に制御信号を出力する。また、この場合も同様に、条件判定部５５５１は、計数部５５２、計時部５５４の第１計時部５５４１および第２計時部５５４４に制御信号を出力し、カウンタ、第１タイマ５５４２および第２タイマ５５４５のリセットを実行させる。
【００４８】
対話型画面生成指示部５５５２は、本発明の対話型設定画面表示部を構成する。そして、対話型画面生成指示部５５５２は、条件判定部５５５１から制御信号が入力すると、設定画面生成部５３の対話型設定画面生成部５３２に対話型設定画面の画像情報を生成して、画像音声処理回路５２に出力させる制御信号を生成出力する。
【００４９】
通常処理指示部５５５３は、判定制御部５５１２、設定表示時判定部５５１３および通常表示時判定部５５１４から操作信号種別を含む制御信号が入力すると、当該操作信号種別に応じた処理を制御基板５の各機能部に実行させる。なお、通常処理指示部５５５３で処理できない操作信号については、信号判定部５５１から通常処理指示部５５５３には入力しない。
【００５０】
具体的に、通常処理指示部５５５３は、音量調節やチャンネル変更を示す操作信号が入力した場合には、画像音声処理回路５２およびチューナ５１に制御信号を出力して、当該処理を実行させる。また、項目別設定画面および対話型設定画面の表示中に、カーソル等の位置変更等の操作信号が入力した場合に、通常処理指示部５５５３は、設定画面生成部５３に制御信号を出力して、当該操作を反映させた画面を生成させる。さらに、通常処理指示部５５５３は、項目別設定画面を表示させる操作信号が入力した場合に、項目別画面生成指示部５５５４に制御信号を出力する。
なお、通常処理指示部５５５３は、入力した制御信号に含まれる操作信号に応じた処理を実行した後、計数部５５２、第１計時部５５４１および第２計時部５５４４に制御信号を出力し、カウンタ、第１タイマ５５４２および第２タイマ５５４５をリセットさせる。
【００５１】
項目別画面生成指示部５５５４は、本発明の項目別設定画面表示部を構成する。項目別画面生成指示部５５５４は、通常処理指示部５５５３から設定画面表示を実行させる制御信号が入力した場合に、項目別設定画面の画像情報を生成させる制御信号を、設定画面生成部５３の項目別設定画面生成部５３１に出力する。
【００５２】
（５）操作信号対応処理ＳＡ
図６は、操作信号対応処理ＳＡの処理フローを示す図である。
制御回路５５は、リモコンＩＦ３または操作パネル４から操作信号が入力した場合、当該制御回路５５を構成する各機能部５５１〜５５５により、以下の操作信号対応処理ＳＡを実行する。操作信号対応処理ＳＡは、入力した操作信号を処理するとともに、当該操作信号が、所定の状態にある制御基板５の信号処理部５５５で実行可能な操作信号であるか否か、すなわち、有効な入力操作に基づく操作信号であるか否かを判定し、実行可能でない操作信号、すなわち、有効でない入力操作に基づく操作信号が所定時間内に連続して所定回数以上入力した場合に、前述の対話型設定画面を表示させる処理である。このような処理ＳＡは、メモリ５４に記憶された操作信号対応プログラムを実行することによって行われる。
以下に、操作信号対応処理ＳＡについて、図６に基づいて説明する。
【００５３】
操作信号対応処理ＳＡでは、図６に示すように、まず、制御回路５５に入力した操作信号が無効なキーの入力操作に基づく操作信号であるか否かを判定する（処理ＳＡ０１）。すなわち、処理ＳＡ０１では、制御回路５５に入力した操作信号に応じた動作が、所定の状態にある制御基板５の信号処理部５５５で実行可能であるか否かが判定される。この際、信号判定部５５１の状態取得部５５１１により、項目別設定画面の表示中か否かが判定される。そして、表示中であれば、判定制御部５５１２の制御下で、当該判定処理ＳＡ０１は、設定表示時判定部５５１３によって処理され、表示中でなければ、処理ＳＡ０１は、通常表示時判定部５５１４によって処理される。
【００５４】
判定処理ＳＡ０１において、設定表示時判定部５５１３または通常表示時判定部５５１４が、リモコン９または操作パネル４のキーに対して行われた入力操作が有効な入力操作である、すなわち、当該入力操作によって制御回路５５に入力した操作信号に応じた動作を信号処理部５５５が実行可能であると判定した場合、当該操作信号に応じた処理が、信号処理部５５５の通常処理指示部５５５３または項目別画面生成指示部５５５４によって処理される（処理ＳＡ０２）。
例えば、項目別設定画面を表示させる操作信号が入力した場合には、項目別設定画面は信号処理部５５５の状態に関らず表示可能であるので、項目別画面生成指示部５５５４により、設定画面生成部５３の項目別設定画面生成部５３１に項目別設定画面の生成信号が出力されて当該画面の画像情報が生成される。また、音量調節等の操作信号が入力した場合には、通常処理指示部５５５３により、画像音声処理回路５２等に制御信号が出力され、当該操作信号に応じた処理が実行される。さらに、項目別設定画面または対話型設定画面の表示状態でない場合に、チャンネル変更の操作信号が入力した場合には、通常処理指示部５５５３からチューナに制御信号が出力され、当該制御信号が示すチャンネルへの変更が実行される。
処理ＳＡ０２の後、制御回路５５は、処理ＳＡ０７に移行する。
【００５５】
一方、処理ＳＡ０１において、設定表示時判定部５５１３または通常表示時判定部５５１４により、リモコン９または操作パネル４のキーに対して行われた入力操作が有効でない入力操作である、すなわち、当該入力操作によって制御回路５５に入力した操作信号に応じた動作を信号処理部５５５が実行可能でないと判定された場合、制御回路５５の計数部５５２により、メモリ５４に記憶されたカウンタの値が「１」繰り上げられる（処理ＳＡ０３）。当該カウンタの値は、回数判定部５５３によって監視され、所定回数と比較判定された後、当該判定結果が信号処理部５５５の条件判定部５５５１に出力される。
【００５６】
処理ＳＡ０３の後、対話型設定画面の表示条件の判定が行われる。この際、まず、第１計時時間判定部５５４３により、第１タイマ５５４２の経過時間が所定時間以上に達しているか否かが判定される（処理ＳＡ０４）。
ここで、第１計時時間判定部５５４３が第１タイマ５５４２の経過時間が所定時間以上に達していないと判定した場合には、現在の状態を維持して、次の操作信号の入力を待機しつつ操作信号対応処理ＳＡを終了する。
一方、第１タイマ５５４２の経過時間が所定時間以上に達したと判定した場合、第１計時時間判定部５５４３から信号処理部５５５の条件判定部５５５１に、制御信号が出力される。
【００５７】
次に、回数判定部５５３により、メモリ５４に記憶されたカウンタの値が所定値（所定回数）以上に達したか否かが判定される（処理ＳＡ０５）。
ここで、回数判定部５５３が、当該カウンタの値が所定値に達していないと判定すると、回数判定部５５３は、条件判定部５５５１に制御信号を出力しない。この後、制御回路５５は、処理ＳＡ０８に移行する。
一方、回数判定部５５３が、カウンタの値が所定値以上に達したと判定した場合、当該回数判定部５５３は、条件判定部５５５１に制御信号を出力する。
【００５８】
処理ＳＡ０４および処理ＳＡ０５により、第１計時時間判定部５５４３および回数判定部５５３から制御信号が入力した条件判定部５５５１は、対話型画面生成指示部５５５２に制御信号を出力して、当該対話型画面生成指示部５５５２により、対話型設定画面の表示を指示させる。これにより、設定画面生成部５３の対話型設定画面生成部５３２により、対話型設定画面の画像情報を生成され、画像表示部６に前述の対話型設定画面が表示される（処理ＳＡ０６）。
【００５９】
処理ＳＡ０６の後、条件判定部５５５１は、計数部５５２に制御信号を出力して、メモリ５４の記憶されたカウンタの値を初期値「０」にリセットする（処理ＳＡ０７）。
また、条件判定部５５５１は、第１タイマ５５４２の経過時間が所定時間以上に達しているので、第１計時部５５４１に制御信号を出力して、第１タイマ５５４２をリセットさせる（処理ＳＡ０８）。処理ＳＡ０８の終了に伴って、制御回路５５は、操作信号対応処理ＳＡを終了する。
なお、処理ＳＡ０２から処理ＳＡ０７に移行した場合には、処理ＳＡ０７における計数部５５２への制御信号、および、処理ＳＡ０８における第１計時部５５４１への制御信号は、通常処理指示部５５５３から出力される。
【００６０】
以上のような操作信号対応処理ＳＡにより、所定時間内に有効でない入力操作に基づく操作信号が連続して所定回数以上入力された場合に、使用者が設定操作または実行操作を迷っていると見做して対話型設定画面を表示することができる。従って、受像機本体２の設定操作等を一層容易に行うことができる。
【００６１】
（６）設定画面表示時監視処理ＳＢ
図７は、設定画面表示時監視処理ＳＢの処理フローを示す図である。
設定画面表示時監視処理ＳＢは、項目別設定画面の表示中に、所定時間以上操作が行われなかった場合、すなわち、所定時間以上操作信号が制御回路５５に入力しなかった場合に、対話型設定画面を表示させる処理である。
以下、設定画面表示時監視処理ＳＢについて、図７に基づいて説明する。
【００６２】
設定画面表示時監視処理ＳＢでは、図７に示すように、まず、リモコンＩＦ３または操作パネル４からメニュー表示を実行させる操作信号が出力され（処理ＳＸ０１）、当該操作信号が制御回路５５に入力すると、当該制御回路５５の信号判定部５５１を構成する判定制御部５５１２が、通常表示時判定部５５１４に判定処理を実行させた後、当該通常表示時判定部５５１４は信号処理部５５５の通常処理指示部５５５３に制御信号を出力する。そして、当該通常処理指示部５５５３は、項目別画面生成指示部５５５４を介して、設定画面生成部５３の項目別設定画面生成部５３１により項目別設定画面を生成表示させる（処理ＳＢ０１）。
さらに、処理ＳＢ０１において、通常表示時判定部５５１４から第２計時部５５４４に制御信号が出力され、当該第２計時部５５４４により第２タイマ５５４５がリセットされ、新たな計時が開始される。
【００６３】
処理ＳＢ０１の後、制御回路５５の信号判定部５５１は、次の操作信号の入力の有無を判定する（処理ＳＢ０２）。ここで、次の操作信号が出力され（処理ＳＸ０２）、当該操作信号が制御回路５５に入力すると、当該制御回路５５の設定表示時判定部５５１３は、入力した操作信号が表示中の項目別設定画面でのメニュー操作を実行させる操作信号であるか否かを判定する（処理ＳＢ０３）。
【００６４】
ここで、メニュー操作を実行させる操作信号であると判定した場合、設定表示時判定部５５１３は、当該操作信号の種別を含む制御信号を信号処理部５５５の通常処理指示部５５５３に出力し、当該通常処理指示部５５５３により、当該操作信号に応じたメニュー操作を実行させる（処理ＳＢ０４）。また、設定表示時判定部５５１３は、計数部５５２および第１計時部５５４１に制御信号を出力し、当該計数部５５２により、メモリ５４に記憶されたカウンタをリセットさせるとともに（処理ＳＢ０５）、第１計時部５５４１により、第１タイマ５５４１２をリセットさせる（処理ＳＢ０６）。この後、制御回路５５は、処理ＳＢ０７に移行する。
一方、メニュー操作を実行させる操作信号でないと判定した場合、設定表示時判定部５５１３は、前述の操作信号対応処理ＳＡを実行する（処理ＳＡ）。
【００６５】
設定画面表示時監視処理ＳＢにおける操作信号対応処理ＳＡの後、または、処理ＳＢ０６の後、制御回路５５の信号処理部５５５は、第２計時部５５４４に制御信号を出力して、第２タイマ５５４５をリセットさせる（処理ＳＢ０７）。
この後、状態取得部５５１１から入力する情報に基づいて判定制御部５５１２が、操作信号対応処理ＳＡにより対話型設定画面が表示されたか否かを判定する（処理ＳＢ０８）。この判定処理ＳＢ０８にて、対話型設定画面が表示されていないと判定された場合、制御回路５５は、処理ＳＢ０２に戻る。また、対話型設定画面が表示されたと判定した場合、制御回路５５は、設定画面表示時監視処理ＳＢを終了する。
【００６６】
一方、処理ＳＢ０２の判定において、操作信号の入力が無いと判定されると、第２計時時間判定部５５４６による第２タイマ５５４５の経過時間監視が継続して行われ、当該第２タイマ５５４５の経過時間が判定される（処理ＳＢ０９）。
ここで、第２計時時間判定部５５４６により、第２タイマ５５４５の経過時間が所定時間未満であると判定された場合、制御回路５５は、処理ＳＢ０２に戻る。
【００６７】
また、第２計時時間判定部５５４６が、第２タイマ５５４５の経過時間が所定時間以上に達したと判定した場合、当該第２計時時間判定部５５４６は、信号処理部５５５の条件判定部５５５１に制御信号を出力する。そして、当該制御信号が入力した条件判定部５５５１は、対話型画面生成指示部５５５２により、対話型設定画面の表示を実行させる（処理ＳＢ１０）。また、この後、条件判定部５５５１は、計数部５５２、第１計時部５５４１および第２計時部５５４４に制御信号を出力し、カウンタ、第１タイマ５５４２および第２タイマ５５４５をリセットさせる（処理ＳＢ１１〜ＳＢ１３）。
処理ＳＢ１３の後、制御回路５５は、設定画面表示時監視処理ＳＢを終了する。
【００６８】
以上のような設定画面表示時監視処理ＳＢにより、項目別設定画面の表示中に、所定時間内に操作信号が入力しなかった場合、使用者が設定操作を迷っていると見做して、対話型設定画面を表示することができる。従って、受像機本体２の設定操作を一層容易に行うことができる。
【００６９】
以上のようなテレビ受像機１により、以下の効果を奏することができる。
すなわち、有効でないキーの入力操作の回数、すなわち、制御基板５の制御回路５５を構成する信号処理部５５５で実行可能でない操作信号の入力回数が所定回数に達した場合に、画像表示部６上に対話型設定画面が表示される。これによれば、使用者が設定や操作に迷っていたり、操作方法が分からない場合に、対話型設定画面を表示することができる。従って、受像機本体２の設定等の操作を容易に行うことができる。
【００７０】
（７）実施形態の変形
なお、本発明は前述の実施形態に限定されるものではなく、本発明の目的を達成できる範囲での変形、改良等は本発明に含まれるものである。
前記実施形態では、所定の動作状態にある制御回路５５に、リモコン９等の有効でないキーの入力操作が行われた時点、すなわち、信号処理部５５５で実行可能でない操作信号が最初に入力した時点から第１計時部５５４１により第１タイマ５５４２をリセットして計時を再開させ、第１タイマ５５４２の経過時間を第１計時時間判定部５５４３が所定時間以上に達したか否かを判定するようにし、当該経過時間が所定時間以上に達することを対話型設定画面の表示条件の１つとしたが、本発明はこれに限らない。すなわち、信号処理部５５５で実行可能でない操作信号の入力回数が所定回数に達した場合に対話型設定画面が表示されるようにしてもよい。なお、当該操作信号の入力回数が所定時間内に所定回数以上に達した場合に、対話型設定画面を表示する構成とすれば、不要に頻繁に対話型設定画面が表示されることを防ぐことができる。
【００７１】
前記実施形態では、メニュー表示させる操作信号が入力した場合、項目別設定画面を表示させるようにしたが、項目別設定画面ではなく対話型設定画面を表示するように構成してもよい。
【００７２】
前記実施形態では、液晶パネルを有する画像表示部を有する受像機本体２を備えるテレビ受像機１を挙げたが、本発明はテレビ受像機に限定されるものではない。すなわち、入力する画像情報に応じた画像を表示する画像表示手段、および、装置本体を制御する制御手段を有する表示装置本体と、当該表示装置本体を遠隔操作する複数のリモコンとを備えた画像表示装置であれば、本発明を採用することが可能である。このような画像表示装置の構成としては、本実施形態で挙げた液晶パネルを有する構成の他に、例えば、プラズマディスプレイ、ＣＲＴ（Cathode-Ray Tube）ディスプレイ、プロジェクタ等の構成を挙げることができる。
【００７３】
また、プロジェクタを本発明の画像表示装置として採用する場合には、当該プロジェクタは、スクリーンを観察する方向から投射を行なうフロントタイプのプロジェクタだけでなく、スクリーンを観察する方向とは反対側から投射を行なうリアタイプのプロジェクタでも適用可能である。
さらに、このようなプロジェクタは、光源からの光束を画像情報に応じて変調して光学像を形成する光変調装置を備えた構成としてもよい。このような光変調装置として、液晶パネル、ＩＬＡ（Image Light Amplifier）素子を用いたデバイス、ＤＭＤ（Digital Micromirror Device）およびＧＬＶ（Grating Light Valve）等を例示することができる。また、光変調装置を設けずに、画像情報に応じてレーザ光を射出するレーザ発振器と、当該レーザ発振器から射出されたレーザ光でスクリーンの縦方向および横方向に走査させて画像を形成する２つのカルバノミラーとを備えたレーザプロジェクタに、本発明を採用してもよい。
【産業上の利用可能性】
【００７４】
本発明は、テレビ受像機に利用できる他、リモコンや操作パネル等の操作手段を備え、画面上で項目設定可能なメニュー画面を表示する画像表示装置全般に好適に利用することができる。
【図面の簡単な説明】
【００７５】
【図１】本発明の一実施形態に係るテレビ受像機の構成を示すブロック図。
【図２】前記実施形態における項目別設定画面の一例を示す図。
【図３】前記実施形態における対話型設定画面の一例を示す図。
【図４】前記実施形態における対話型設定画面の一例を示す図。
【図５】前記実施形態における制御回路の機能分類を示すブロック図。
【図６】前記実施形態における操作信号対応処理の処理フローを示す図。
【図７】前記実施形態における設定画面表示時監視処理の処理フローを示す図。
【符号の説明】
【００７６】
１…テレビ受像機（画像表示装置）、４…操作パネル（操作手段）、５…制御基板（制御手段）、６…画像表示部（画像表示手段）、９…リモコン（操作手段）、９１…キー、９３…操作信号出力部、５３１…項目別設定画面生成部（項目別設定画面表示部）、５３２…対話型設定画面生成部（対話型設定画面表示部）、５５１…信号判定部（入力判定部）、５５２…計数部、５５３…回数判定部、５５１３…設定表示時判定部（設定時判定部）、５５４１…第１計時部、５５４３…第１計時時間判定部、５５４４…第２計時部、５５４６…第２計時時間判定部、５５５２…対話型画面生成指示部（対話型設定画面表示部）、５５５４…項目別画面生成指示部（項目別設定画面表示部）。
【図１】
0004645359.tif 000002
【図２】
0004645359.tif 000003
【図３】
0004645359.tif 000004
【図４】
0004645359.tif 000005
【図５】
0004645359.tif 000006
【図６】
0004645359.tif 000007
【図７】
0004645359.tif 000008